(57)【要約】【課題】表示部上の無線通信装置が検出されても、無線通信装置と自装置との通信によって生じる自装置の動作とは異なる自装置の動作が生じることを防げる検出装置等を提供できる。【解決手段】画像を表示するとともに、ユーザが接触することで画像に対応する操作を受け付ける表示部３２０と、近接場型の無線通信を行なう無線通信装置との間で通信を行なう通信部３３０と、通信部３３０が無線通信装置を検知した前後において、表示部３２０で接触を検出したときに、検出結果に基づく自装置の動作を無効とする制御を行なう制御部と、を備える検出装置。【選択図】図３
2018176535.tif 000002
【特許請求の範囲】
【請求項１】
画像を表示するとともに、ユーザが接触することで画像に対応する操作を受け付ける表示部と、
近接場型の無線通信を行なう無線通信装置との間で通信を行なう通信部と、
前記通信部が前記無線通信装置を検知した前後において、前記表示部で接触を検出したときに、検出結果に基づく自装置の動作を無効とする制御を行なう制御部と、
を備える検出装置。
【請求項２】
前記制御部は、前記表示部中の前記通信部に近い側における予め定められた領域で当該表示部で接触を検出したときに、検出結果に基づく前記自装置の動作を無効とする制御を行なうことを特徴とする請求項１に記載の検出装置。
【請求項３】
前記制御部は、前記表示部中の前記通信部から遠い側における予め定められた領域で当該表示部で接触を検出したときに、検出結果に基づく前記自装置の動作を継続する制御を行なうことを特徴とする請求項２に記載の検出装置。
【請求項４】
前記自装置の動作を無効とする制御は、前記表示部で接触を検出したときに、接触を検出される前に表示されている画面の表示を維持することを特徴とする請求項１に記載の検出装置。
【請求項５】
前記自装置の動作を無効とする制御は、前記表示部で接触を検出したときに当該表示部に表示される画面の遷移を行なわない制御であることを特徴とする請求項４に記載の検出装置。
【請求項６】
前記制御部は、接触を検出したときに前記表示部に表示されていた画面を遷移させた後に、前記表示されていた画面に遷移させることを特徴とする請求項４に記載の検出装置。
【請求項７】
記録材に画像を形成する画像形成部と、
画像を表示するとともにユーザが接触することで画像に対応する操作を受け付ける表示部と、近接場型の無線通信を行なう無線通信装置との間で通信を行なう通信部とを備え、ユーザの操作を受け付ける受付部と、
前記受付部で受け付けたユーザの操作結果に基づき自装置の制御を行なう制御部と、
を備え、
前記制御部は、前記通信部が前記無線通信装置を検知した前後において、前記表示部で接触を検出したときに、検出結果に基づく自装置の動作を無効とする制御を行なう画像形成装置。
【発明の詳細な説明】
【技術分野】
【０００１】
本発明は、検出装置、画像形成装置に関する。
【背景技術】
【０００２】
自装置の動作をさせる情報を入力する入力部として、ボタンやスイッチ等の実体を有するキーであるハードウェアキーや、ソフトウェア制御により表示部に表示されるキーであるソフトウェアキーを、ユーザインタフェースに設ける場合がある。
一方、近年は、自装置の動作をさせる情報などを予め端末装置等の無線通信装置に設定しておき、無線通信装置との間で近接場型の無線通信（ＮＦＣ（Ｎｅａｒ Ｆｉｅｌｄ Ｃｏｍｍｕｎｉｃａｔｉｏｎ））を行なうことで、この情報の入力を受け付ける通信部をユーザインタフェースに設ける場合がある。
【０００３】
特許文献１には、装置本体と、この装置本体に対して変位可能に設けられた表示機構とが設けられる画像形成装置が開示されている。これは、表示機構の第１側縁、第２側縁に沿って延びる回転軸が設けられ、表示機構は、この回転軸を中心に回転して、装置本体に対する変位を行い、さらに、表示機構には、ユーザが有する携帯端末との通信（ＮＦＣ）を行うアンテナが設けられるものである。
【先行技術文献】
【特許文献】
【０００４】
【特許文献１】特開２０１６−２２１７６５号公報
【発明の概要】
【発明が解決しようとする課題】
【０００５】
表示部と通信部とは、ユーザの操作性の観点から、近接して設けることが好ましい。
しかしながら表示部と通信部とを近接して設けた場合、ユーザが無線通信装置を通信部にかざすことで通信を行なう際に、表示部上の無線通信装置を検出することがある。その結果、無線通信装置と自装置との通信によって生じる自装置の動作とは異なる自装置の動作が生じる場合がある。
本発明は、表示部上の無線通信装置が検出されても、無線通信装置と自装置との通信によって生じる自装置の動作とは異なる自装置の動作が生じにくい検出装置等を提供する。
【課題を解決するための手段】
【０００６】
請求項１に記載の発明は、画像を表示するとともに、ユーザが接触することで画像に対応する操作を受け付ける表示部と、近接場型の無線通信を行なう無線通信装置との間で通信を行なう通信部と、前記通信部が前記無線通信装置を検知した前後において、前記表示部で接触を検出したときに、検出結果に基づく自装置の動作を無効とする制御を行なう制御部と、を備える検出装置である。
請求項２に記載の発明は、前記制御部は、前記表示部中の前記通信部に近い側における予め定められた領域で当該表示部で接触を検出したときに、検出結果に基づく前記自装置の動作を無効とする制御を行なうことを特徴とする請求項１に記載の検出装置である。
請求項３に記載の発明は、前記制御部は、前記表示部中の前記通信部から遠い側における予め定められた領域で当該表示部で接触を検出したときに、検出結果に基づく前記自装置の動作を継続する制御を行なうことを特徴とする請求項２に記載の検出装置である。
請求項４に記載の発明は、前記自装置の動作を無効とする制御は、前記表示部で接触を検出したときに、接触を検出される前に表示されている画面の表示を維持することを特徴とする請求項１に記載の検出装置である。
請求項５に記載の発明は、前記自装置の動作を無効とする制御は、前記表示部で接触を検出したときに当該表示部に表示される画面の遷移を行なわない制御であることを特徴とする請求項４に記載の検出装置である。
請求項６に記載の発明は、前記制御部は、接触を検出したときに前記表示部に表示されていた画面を遷移させた後に、前記表示されていた画面に遷移させることを特徴とする請求項４に記載の検出装置である。
請求項７に記載の発明は、記録材に画像を形成する画像形成部と、画像を表示するとともにユーザが接触することで画像に対応する操作を受け付ける表示部と、近接場型の無線通信を行なう無線通信装置との間で通信を行なう通信部とを備え、ユーザの操作を受け付ける受付部と、前記受付部で受け付けたユーザの操作結果に基づき自装置の制御を行なう制御部と、を備え、前記制御部は、前記通信部が前記無線通信装置を検知した前後において、前記表示部で接触を検出したときに、検出結果に基づく自装置の動作を無効とする制御を行なう画像形成装置である。
【発明の効果】
【０００７】
請求項１の発明によれば、表示部上の無線通信装置が無線通信装置と自装置との通信によって生じる自装置の動作とは異なる自装置の動作が生じることを防げる。
請求項２の発明によれば、表示部上の無線通信装置が検出されやすい箇所において無線通信装置が検出された場合に、動作を無効とする制御を行なうことができる。
請求項３の発明によれば、表示部上の無線通信装置が検出されにくい箇所においては、動作を無効とする制御を行なわないようにすることができる。
請求項４の発明によれば、表示部上の無線通信装置が検出されることにより画面が変化しないようにすることができる。
請求項５の発明によれば、表示部上の無線通信装置が検出されても画面が遷移することを抑制することができる。
請求項６の発明によれば、表示部上の無線通信装置が検出されても画面が元に戻るようにすることができる。
請求項７の発明によれば、ユーザが通信部に対して操作をするときに、表示部上の無線通信装置が無線通信装置と自装置との通信によって生じる自装置の動作とは異なる自装置の動作が生じることを防げる。
【図面の簡単な説明】
【０００８】
【図１】本実施の形態に係る画像形成装置の外観図である。
【図２】本実施の形態に係る画像形成装置の内部構造を示す図である。
【図３】（ａ）は、本実施形態におけるユーザインタフェースを示した図である。（ｂ）は、（ａ）に示したユーザインタフェースのＩＩＩｂ−ＩＩＩｂ断面図である。
【図４】光検出部が被検出体を検出する方法について示した図である。
【図５】表示部に対して行なうユーザの操作の具体例を示した図である。
【図６】制御装置の機能構成例を示したブロック図である。
【図７】制御装置の第１の動作例について示したフローチャートである。
【図８】制御装置の第２の動作例について示したフローチャートである。
【図９】（ａ）〜（ｅ）は、決定した動作を動作制御部が無効とした場合の具体的な動作について示した図である。
【発明を実施するための形態】
【０００９】
以下、添付図面を参照して、実施の形態について詳細に説明する。
【００１０】
＜画像形成装置１の全体構成の説明＞
図１は、本実施の形態に係る画像形成装置１の外観図である。図２は、本実施の形態に係る画像形成装置１の内部構造を示す図である。
画像形成装置１は、原稿の画像を読み取る画像読取装置１００と、記録材（以下、代表して「用紙」と記す場合もある。）上に画像を記録する画像記録装置２００と、を備えている。また画像形成装置１は、ユーザからの操作入力の受付けやユーザに対する各種情報の表示を行なうユーザインタフェース（ＵＩ）３００を備えている。さらに画像形成装置１は、画像形成装置１全体の動作を制御する制御装置５００を備える。
【００１１】
画像読取装置１００は、画像形成装置１の上部に配置され、画像記録装置２００は、画像読取装置１００の下側に配置され、制御装置５００を内蔵している。ユーザインタフェース３００は、画像形成装置１の上部の手前側、つまり画像読取装置１００の後述する画像読取部１１０の手前側に配置されている。
【００１２】
画像読取装置１００は、原稿の画像を読み取る画像読取部１１０と、この画像読取部１１０に原稿を搬送する原稿搬送部１２０と、を備えている。原稿搬送部１２０は、画像読取装置１００の上部に配置され、画像読取部１１０は、画像読取装置１００の下部に配置されている。
原稿搬送部１２０は、原稿を収容する原稿収容部１２１と、この原稿収容部１２１から搬送された原稿が排出される原稿排出部１２２とを有し、原稿収容部１２１から原稿排出部１２２へ原稿を搬送する。原稿搬送部１２０は、原稿自動送り装置（ＡＤＦ：Auto Document Feeder）とも呼ばれる。
【００１３】
画像記録装置２００は、用紙Ｐに画像を形成する画像形成部２０と、画像形成部２０に対して用紙Ｐを供給する用紙供給部６０と、画像形成部２０にて画像が形成された用紙Ｐを排出する用紙排出部７０と、画像形成部２０にて一方の面に画像が形成された用紙Ｐの表裏を反転させて再度画像形成部２０に向けて搬送する反転搬送部８０と、を備えている。
【００１４】
また、画像記録装置２００は、画像形成部２０、用紙供給部６０、用紙排出部７０、反転搬送部８０および制御装置５００を、直接的または間接的に支持する装置本体フレーム１１と、この装置本体フレーム１１に取り付けられて画像形成装置１の外面を形成する装置筐体１２と、を備えている。
装置本体フレーム１１は、画像形成装置１における横方向の一方の端部側で、内部に、切替ゲート７６、第１の排出ロール７７、搬送ロール７８および第２の排出ロール７９などを備えるとともに上下方向に伸びて、画像読取装置１００を支持する読取装置支持部１３を備えている。読取装置支持部１３は、装置本体フレーム１１における奥側の部位と協働して画像読取装置１００を支持する。
【００１５】
また、画像記録装置２００は、装置筐体１２の一部として、画像形成部２０の手前側に設けられるとともに、装置本体フレーム１１に対して開閉可能に装着されるフロントカバー１５を備えている。
ユーザは、フロントカバー１５を開くことで、画像形成部２０の中間転写ユニット３０やトナーカートリッジ２９Ｙ、２９Ｍ、２９Ｃ、２９Ｋを新しい物と取り替えることが可能となっている。
【００１６】
ユーザインタフェース３００は、自装置（画像形成装置１）に対するユーザの指示を受け付ける受付部（受付装置）の一例であり、詳しくは後述するが、光検出部や表示部を備える。そして表示部に表示される画面によりユーザに対し種々の情報を提供するとともに、表示部上をユーザが操作すると、その操作を光検出部が検出する。その結果、画像形成装置１に対しユーザが指示を入力することができる。
【００１７】
＜画像形成装置１の動作の説明＞
以上のように構成された画像形成装置１は、以下のように動作する。
例えば、ユーザは、画像形成装置１を使用して原稿のコピーを行なうことができる。即ち、画像読取装置１００によって読み取られた原稿の画像データを基に、画像記録装置２００により画像を用紙Ｐ上に形成することで原稿をコピーすることができる。またユーザは、通信回線に接続する図示しないパーソナルコンピュータ（ＰＣ）等から印刷のジョブを画像形成装置１に送信することでプリントを行なうことができる。即ち、通信回線を介して印刷のジョブを受信し、印刷のジョブに含まれる画像データを基に、画像記録装置２００により画像を用紙Ｐ上に形成することでプリントすることができる。さらにユーザは、ファクシミリの送受信を行なうことができる。即ち、画像読取装置１００によって読み取られた原稿の画像データを通信回線を介して送信できる。あるいはユーザは、原稿の画像データを保存することができる。即ち、原稿の画像データを画像形成装置１内部や通信回線に接続したＰＣに保存できる。
【００１８】
＜ユーザインタフェース３００の説明＞
図３（ａ）は、本実施形態におけるユーザインタフェース３００を示した図である。図３（ａ）は、ユーザインタフェース３００を上方から見た場合を示している。また図３（ｂ）は、図３（ａ）に示したユーザインタフェース３００のＩＩＩｂ−ＩＩＩｂ断面図である。
図３（ａ）で図示するように、ユーザインタフェース３００は、光学的に被検出体を検出する光検出部３１０と、画像を表示する表示部３２０と、無線通信を行なう通信部３３０とを備える。
【００１９】
光検出部３１０は、例えば、光学センシングバーとも言われ、被検出体の位置を検出する。ユーザがユーザインタフェース３００を操作しようとするときに、例えば、指によりタッチして操作するときは、光検出部３１０は、この指を被検出体として検出する。また光検出部３１０は、ユーザの指以外のものでもユーザインタフェース３００に対しタッチするものであれば、検出することができる。よって被検出体は、例えば、タッチペンなどであってもよい。
【００２０】
図４は、光検出部３１０が被検出体Ｔを検出する方法について示した図である。
図示するように光検出部３１０は、光を発する発光部３１１と、光を受光する受光部３１２とを備える。
発光部３１１は、ＬＥＤ（Light Emitting Diode）等を備え、赤外線等の光を出射する。
受光部３１２は、ＰＤ（Photodiode）等を備え、被検出体Ｔから反射された反射光を受光する。そしてこの反射光に応じた検出信号を出力する。
図示するように、発光部３１１と受光部３１２とは、交互に、かつ直線状に配列する。
【００２１】
この構成において、光検出部３１０は、発光部３１１から発した光が被検出体Ｔにより反射される際に生じる反射光を受光部３１２で受光することで表示部３２０上の被検出体Ｔの位置を検出することができる。なおこれは、光検出部３１０は、被検出体Ｔの縦横方向の位置である２次元的な位置を検出することができると言うこともできる。つまり被検出体Ｔの図中横方向の位置は、反射光を何れの受光部３１２で検出したかどうかによりわかる。また被検出体Ｔの図中縦方向の位置は、受光部３１２が受光する光の強度によりわかる。即ち、被検出体Ｔが光検出部３１０からより近いほど、受光部３１２で受光する光の強度はより大きくなる。一方、被検出体Ｔが光検出部３１０からより遠いほど、受光部３１２で受光する光の強度はより小さくなる。よって受光部３１２が受光する光の強度により、光検出部３１０と被検出体Ｔとの距離がわかるため、これから被検出体Ｔの図中縦方向の位置がわかる。さらに光検出部３１０は、被検出体Ｔが複数あってもそれぞれの被検出体Ｔを検出することができる。これによりいわゆるマルチタッチの検出を行なうことができる。
【００２２】
また図３（ｂ）に示すように、光検出部３１０は、ユーザインタフェース３００の表示部３２０が設けられる面に対し、突出する突起部３１０ａを有する。この突起部３１０ａには、図４に示した発光部３１１および受光部３１２が配される。発光部３１１から発した光のうちユーザインタフェース３００の表示部３２０が設けられる面に沿って進行するものが、被検出体Ｔに当たると反射されて反射光となる。そして被検出体Ｔからの反射光のうち表示部３２０が設けられる面に沿って進行するものは、受光部３１２により受光される。
【００２３】
表示部３２０は、例えば、液晶パネルであり、画像形成装置１に関する情報を画像として表示するとともに、ユーザが接触することで画像に対応する操作を受け付ける。なおここで「接触」とは、表示部３２０に被検出体Ｔが実際に触れる場合に限られるものではない。つまり表示部３２０に被検出体Ｔが近接した結果、実際には触れていなくても光検出部３１０が、被検出体Ｔからの反射光を検出し、これを被検出体Ｔが表示部３２０に接触したものとすることがある。よって本実施の形態で、「接触」とは、ユーザが表示部３２０に被検出体Ｔが実際に触れる場合のみならず、表示部３２０に被検出体Ｔが近接した結果、被検出体Ｔを検出する場合も含む。
図示するように、表示部３２０は矩形状であり、光検出部３１０は、表示部３２０の一辺に沿って１つ配される。ここでは、光検出部３１０は、表示部３２０の左辺に沿って配される。
【００２４】
図５は、表示部３２０に対して行なうユーザの操作の具体例を示した図である。
ここでは、表示部３２０には、画像形成装置１が備える機能を実行するためのアイコンＩの一覧が画像として表示されている。この画像は、いわゆるホーム画面である。またこのとき表示されているアイコンＩは、予め定められた処理に関連付けられており、選択されることでこの処理が実行される。
【００２５】
図示する例では、表示部３２０には、コピー、ファクス／インターネットファクス、スキャナ（メール送信）、ジョブフロー、どこでもプリント、らくらくファクス、スキャナ（ＰＣ保存）、スキャナ（ボックス保存）、メールのそれぞれの機能を表すアイコンＩが表示されている。
【００２６】
そしてユーザは、目的の機能を利用するためには、何れかのアイコンＩをタッチする操作を行なう。ユーザがアイコンＩをタッチすると、例えば、アイコンＩに関連付けられた機能に対応する設定画面が表示される。例えば、「コピー」のアイコンＩをタッチすると、原稿のコピーを行なうための設定画面として、コピーを行なう枚数、使用する用紙の選択、白黒／カラーの選択、拡大／縮小の設定を行なう画面が表示される。そして設定後、ユーザが、後述するスタートボタンを押下すると、実際のコピー動作が開始される。
【００２７】
またユーザが何れかのアイコンＩをドラッグする操作を行なうと、そのアイコンＩを移動する操作となる。例えば、ユーザが、「らくらくファクス」のアイコンＩを点線で図示した箇所に移動したいときは、このアイコンＩをドラッグすればよい。
【００２８】
また表示部３２０には、画面を縦方向にスクロールさせるためのスクロールバーＳ１と、画面を横方向にスクロールさせるためのスクロールバーＳ２とが表示されている。
この場合、ユーザがスクロールバーＳ１やスクロールバーＳ２に備えられた▲マークをタッチすると、▲マークが示す方向に画面をスクロールさせることができる。またユーザがスクロールバーＳ１に備えられたスクロールボタンＢ１やスクロールバーＳ２に備えられたスクロールボタンＢ２をドラッグすることで移動させると、移動させた方向に画面をスクロールさせることができる。画面をスクロールさせることで、一画面で表示しきれない画面を表示させることができる。
【００２９】
通信部３３０は、近接場型の無線通信を行なう無線通信装置Ｍとの間で通信を行なう。
近接場型の無線通信（ＮＦＣ（Ｎｅａｒ Ｆｉｅｌｄ Ｃｏｍｍｕｎｉｃａｔｉｏｎ））は、例えば、通信距離が約１０ｃｍに限定された無線通信の規格である。なお本実施の形態で、近接場型の無線通信とは、到達距離の短い無線通信である近距離無線通信全般のことを言い、その規格などは問わない。
また無線通信装置Ｍは、ＮＦＣによる無線通信を行なうことができる装置であれば特に限られるものではなく、例えば、スマートフォンやタブレットなどの端末装置である。
そしてユーザが、無線通信装置Ｍを通信部３３０の上でかざしたりタッチをすると、無線通信装置Ｍと通信部３３０との間で自動的にＮＦＣ通信が行なわれる。なお図３（ａ）では、無線通信装置Ｍのかざす位置の例を一点鎖線で図示している。
これによりユーザは、画像形成条件など画像形成装置１で処理を行なうための処理条件を予め無線通信装置Ｍに記憶させておく。そしてＮＦＣ通信を行ない、この処理条件を通信部３３０を介して入力することができる。
【００３０】
表示部３２０と通信部３３０とは、ユーザの操作性の観点から、近接して設けることが好ましい。
しかし表示部３２０と通信部３３０とが近接して設けられた場合、ユーザが無線通信装置Ｍを通信部３３０にかざす際に、無線通信装置Ｍが表示部３２０に接触することがある。その結果、例えば、ユーザが何れかのアイコンＩをタッチしたと判断され、その結果、無線通信装置Ｍと自装置（画像形成装置１）との通信によって生じる自装置の動作とは異なる自装置の動作が生じる。
例えば、無線通信装置Ｍが、スキャナ（ボックス保存）のアイコンＩに接触した場合、これに対応するアプリが起動し、表示部３２０には、スキャナ（ボックス保存）の設定画面が表示される。
そこで本実施の形態では、制御装置５００を以下の構成とし、この問題の抑制を図っている。
【００３１】
＜制御装置５００の説明＞
図６は、制御装置５００の機能構成例を示したブロック図である。なお図６では、制御装置５００が有する種々の機能のうち本実施の形態に関係するものを選択して図示している。
制御装置５００は、ユーザインタフェース３００で受け付けたユーザの操作結果に基づき自装置（画像形成装置１）の制御を行なう制御部の一例である。
図示するように本実施の形態の制御装置５００は、検出信号取得部５１０と、位置検出部５２０と、操作判断部５３０と、通信送受信部５４０と、動作制御部５５０とを備える。
【００３２】
検出信号取得部５１０は、光検出部３１０から検出信号を取得する。この検出信号には、被検出体からの反射光を受光した受光部３１２の位置や、受光部３１２が受光した光の強度の情報が含まれる。
【００３３】
位置検出部５２０は、検出信号取得部５１０が取得した検出信号を基に、被検出体の位置を求める。これは図４で説明したように、何れの受光部３１２で検出したかの情報と、受光部３１２が受光する光の強度により求めることができる。
【００３４】
操作判断部５３０は、位置検出部５２０が求めた位置を基に、ユーザの操作を判断する。即ち、操作判断部５３０は、上述したように、位置検出部５２０が求めた位置により、ユーザの操作として、例えば、タッチ、ドラッグ、スワイプなどが行われたか否かを判断する。
【００３５】
通信送受信部５４０は、通信部３３０を介して無線通信装置Ｍとの間で情報の送受信を行なう。これにより通信送受信部５４０は、画像形成条件など画像形成装置１で処理を行なうための処理条件を受信することができる。
【００３６】
動作制御部５５０は、位置検出部５２０が判断した被検出体の位置、操作判断部５３０で判断されたユーザの操作、および通信送受信部５４０で受信した処理条件に基づき制御信号を出力し、画像形成装置１の動作を制御する。例えば、表示部３２０において、ユーザが、「コピー」のアイコンＩをタッチしたと判断された場合、コピーの設定を行なう画面が表示される。コピーの設定は、通信送受信部５４０で受信した処理条件を基に決められる。そしてさらに、ユーザが図示しないスタートボタンをタッチしたと判断された場合、実際のコピー動作が開始される。
【００３７】
また動作制御部５５０は、通信部３３０が無線通信装置Ｍを検知した前後において、表示部３２０で接触を検出したときに、検出結果に基づく自装置（画像形成装置１）の動作を無効とする制御を行なう。
ここで「通信部３３０が無線通信装置Ｍを検知した前後」とは、通信部３３０が無線通信装置Ｍを検知した時間に対し、前後の予め定められた短い時間内であることを意味する。この時間は、例えば前後１秒以内である。
【００３８】
具体的には、検出信号取得部５１０が光検出部３１０から検出信号を取得した時間と、通信送受信部５４０が処理条件を受信した時間を比較する。そしてこの時間差が予め定められた閾値以内である場合は、無線通信装置Ｍが表示部３２０に接触したものとみなし、決定した動作を無効とする。つまり無線通信装置Ｍが表示部３２０に接触する場合、接触した時間と処理条件を受信した時間とはほぼ同じとなる。そのためこれらの時間がほぼ同じであった場合は、無線通信装置Ｍが表示部３２０に接触したとみなせるため、決定した動作を無効とする。
【００３９】
対してこの時間差が予め定められた閾値を超える場合は、決定した動作を無効としない。ユーザが、無線通信装置Ｍを通信部３３０にかざす動作と、表示部３２０へ指等で接触する動作とは、通常は別々に行われ、ほぼ同時とはならない。そのためこの時間差が予め定められた閾値を超える場合は、ユーザは、これらの２つの動作を別々に行なったとみなせる。
【００４０】
またこのとき動作制御部５５０は、表示部３２０中の一部の領域で接触を検出したときに、検出結果に基づく自装置（画像形成装置１）の動作を無効とする制御を行なうようにしてもよい。
つまり無線通信装置Ｍが表示部３２０に接触するのは、通信部３３０に近い側でより起こりやすく、遠い側では起こりにくい。そのため通信部３３０に近い側で接触する場合に限定して動作を無効とする制御を行なうようにすればよい。よって動作制御部５５０は、表示部３２０中の通信部３３０に近い側における予め定められた領域で表示部３２０で接触を検出したときに、検出結果に基づく自装置（画像形成装置１）の動作を無効とする制御を行なう。対して、動作制御部５５０は、表示部３２０中の通信部３３０から遠い側における予め定められた領域で表示部３２０で接触を検出したときに、検出結果に基づく自装置（画像形成装置１）の動作を継続する制御を行なう。即ち、無効とする制御は行なわない。
【００４１】
なお、「表示部３２０中の通信部３３０に近い側における予め定められた領域」とは、表示部３２０において無線通信装置Ｍが接触しやすい領域として表示部３２０中に仮想的に設定された領域であり、表示部３２０の通信部３３０側に設定される。また「表示部３２０中の通信部３３０から遠い側における予め定められた領域」とは、表示部３２０において無線通信装置Ｍが接触しにくい領域として表示部３２０中に仮想的に設定された領域であり、表示部３２０の通信部３３０側とは逆側に設定される。具体的には、例えば、表示部３２０の通信部３３０側の半分（例えば、図３では表示部３２０の右側半分）の領域について、「表示部３２０中の通信部３３０に近い側における予め定められた領域」とすることができる。また表示部３２０の通信部３３０側とは逆側の半分（例えば、図３では表示部３２０の左側半分）の領域について、「表示部３２０中の通信部３３０とは遠い側における予め定められた領域」とすることができる。
【００４２】
図７は、制御装置５００の第１の動作例について示したフローチャートである。
まず検出信号取得部５１０が、光検出部３１０から検出信号を取得する（ステップ１０１）。
次に位置検出部５２０が、この検出信号を基に、被検出体の位置を求める（ステップ１０２）。
【００４３】
そして操作判断部５３０が、位置検出部５２０が求めた位置を基に、ユーザの操作を判断する（ステップ１０３）。
【００４４】
また通信送受信部５４０は、通信部３３０を介して無線通信装置Ｍとの間で情報の送受信を行ない、画像形成装置１で処理を行なうための処理条件を受信する（ステップ１０４）。この処理条件は、無線通信装置Ｍから通信を確立するための情報（例えば、画像形成装置１のＭＡＣアドレス（Media Access Control address）、画像形成装置１のＩＰアドレス（Internet Protocol address）、ＳＳＩＤ（Service Set Identifier））、印刷する画像データなどである。
【００４５】
そして動作制御部５５０が、位置検出部５２０が判断した被検出体の位置、操作判断部５３０で判断されたユーザの操作、および通信送受信部５４０で受信した処理条件に基づき、ユーザの入力した指示を判断する（ステップ１０５）。
そして動作制御部５５０は、ユーザの入力した指示により、画像形成装置１で行なう動作を決定する（ステップ１０６）。
【００４６】
次に動作制御部５５０は、決定した動作を無効とするか否かの判断を行なう（ステップ１０７）。具体的には、上述したように検出信号取得部５１０が光検出部３１０から検出信号を取得した時間と、通信送受信部５４０が、上記処理条件を受信した時間を比較する。そしてこの時間差が予め定められた閾値以内である場合は、決定した動作を無効とする。対してこの時間差が予め定められた閾値を超える場合は、決定した動作を無効としない。
【００４７】
具体的には、動作制御部５５０は、次のような判断を行なう。
（１）光検出部３１０から検出信号を取得した後、上記閾値以内の時間差で無線通信装置Ｍから処理条件を受信した場合は、動作制御部５５０は、決定した動作を無効とする判断を行なう。
（２）光検出部３１０から検出信号を取得した後、上記閾値を超える時間差で無線通信装置Ｍから処理条件を受信した場合、または無線通信装置Ｍから処理条件を受信しなかった場合は、動作制御部５５０は、決定した動作を無効としない判断を行なう。
（３）無線通信装置Ｍから処理条件を受信した後、上記閾値以内の時間差で光検出部３１０から検出信号を取得した場合は、動作制御部５５０は、決定した動作を無効とする判断を行なう。
（４）無線通信装置Ｍから処理条件を受信した後、上記閾値を超える時間差で光検出部３１０から検出信号を取得した場合、または無線通信装置Ｍから処理条件を受信しなかった場合は、動作制御部５５０は、決定した動作を無効としない判断を行なう。
【００４８】
そして動作制御部５５０が、無効であると判断した場合（ステップ１０７でＹｅｓ、上記（１）、（３）の場合）、動作制御部５５０は、光検出部３１０からの検出信号を無視し、ユーザが指示した画像形成装置１の動作を行なわない。この場合、表示部３２０に表示される画面の遷移を行なわず、画面の表示は維持される（ステップ１０８）。
さらにこの後に、無線通信装置Ｍから送られた指示に従い、画像形成装置１の動作を制御してもよい。例えば、無線通信装置Ｍから送られた処理を行なうための画面を表示部３２０に表示する。
【００４９】
対して、動作制御部５５０が、無効でないと判断した場合（ステップ１０７でＮｏ、上記（２）、（４）の場合）、動作制御部５５０は、ステップ１０６で決定した動作と無線通信装置Ｍから送られた指示による動作の双方を行なう（ステップ１０９）。このとき上記（２）の場合は、ステップ１０６で決定した動作を先に行ない、その後に無線通信装置Ｍから送られた指示による動作を行なう。一方、上記（４）の場合は、無線通信装置Ｍから送られた指示による動作を先に行ない、その後にステップ１０６で決定した動作を行なう。
【００５０】
図８は、制御装置５００の第２の動作例について示したフローチャートである。
図８のステップ２０１〜ステップ２０６は、図７のステップ１０１〜ステップ１０６と同様であるので説明を省略する。
ステップ２０６から後は、動作制御部５５０が、決定した動作に従い、画像形成装置１の動作をまず開始する（ステップ２０７）。
【００５１】
次に図７のステップ１０７と同様に、動作制御部５５０は、決定した動作を無効とするか否かの判断を行なう（ステップ２０８）。この場合も動作制御部５５０は、例えば、上記（１）〜（４）で説明した判断を行なう。
【００５２】
そして動作制御部５５０が、無効であると判断した場合（ステップ２０８でＹｅｓ、上記（１）、（３）の場合）、開始した動作を中止し、動作前の状態に戻す（ステップ２０９）。つまり表示部３２０に表示される画面は動作前の画面に戻り、元の画面の表示が維持される。
さらにこの後に、無線通信装置Ｍから送られた指示に従い、画像形成装置１の動作を制御してもよいのは、上述した場合と同様である。
【００５３】
対して、動作制御部５５０が、無効でないと判断した場合（ステップ２０８でＮｏ、上記（２）、（４）の場合）、動作制御部５５０は、ステップ２０６で決定した動作と無線通信装置Ｍから送られた指示による動作の双方を行なう（ステップ２１０）。このとき上記（２）の場合は、ステップ２０６で決定した動作を先に行ない、その後に無線通信装置Ｍから送られた指示による動作を行なう。一方、上記（４）の場合は、無線通信装置Ｍから送られた指示による動作を先に行ない、その後にステップ２０６で決定した動作を行なう。
【００５４】
図９（ａ）〜（ｅ）は、決定した動作を動作制御部５５０が無効とした場合の具体的な動作について示した図である。
ここでは、決定した動作が、表示部３２０に表示される画面の遷移であり、この動作が無効とされた場合を示している。そして図９の（ａ）→（ｂ）→（ｃ）では、図７で説明した第１の動作例で、決定した動作が無効になった場合を示す。さらに図９の（ａ）→（ｂ）→（ｄ）→（ｅ）では、図８で説明した第２の動作例で、決定した動作が無効になった場合を示す。
【００５５】
ここでは、図９（ａ）で示すホーム画面から、図９（ｂ）に示すようにユーザが無線通信装置Ｍであるスマートフォンを通信部３３０にかざした場合を示している。そしてこのとき無線通信装置Ｍが表示部３２０に接触した場合を示している。この場合、無線通信装置Ｍは、スキャナ（ボックス保存）のアイコンＩに接触している。
【００５６】
このように本実施の形態では、決定した動作を無効にする制御として、表示部３２０で接触を検出したときに、接触を検出される前に表示されている画面の表示を維持する制御を行なう。
このとき第１の動作例では、決定した動作を無効にする制御は、表示部３２０で接触を検出したときに、表示部３２０に表示される画面の遷移を行なわない制御である。そのため図９（ｃ）に示すように、表示部３２０に表示される画面は、遷移せず、ホーム画面のままとなる。
【００５７】
一方、第２の動作例では、動作制御部５５０は、決定された動作をまず開始するため、図９（ｄ）で示すように、表示部３２０に表示される画面の遷移が行われる。この場合、表示部３２０に表示される画面は、スキャナ（ボックス保存）の設定画面に遷移する。
しかしその後、動作制御部５５０は、この動作を無効とする制御を行なう。この場合、動作制御部５５０は、決定した動作を無効にする制御として、表示部３２０で接触を検出したときに、表示部３２０に表示されていた画面を遷移させた後に、表示されていた画面に遷移させる。その結果、図９（ｅ）で示すように、表示部３２０に表示される画面は、元のホーム画面に戻される。
【００５８】
以上説明した形態によれば、無線通信装置Ｍが表示部３２０に接触しても、無線通信装置Ｍと自装置（画像形成装置１）との通信によって生じる自装置の動作とは異なる自装置の動作が生じにくくなる。
【００５９】
なお上述した例では、画像形成装置１を例に取り説明を行なったが、これに限られるものではなく、表示部３２０および通信部３３０を使用する装置であれば、適用が可能である。
【００６０】
また上述した例では、光検出部３１０によりユーザの指などの被検出体を検出したが、光検出部３１０を設けず、表示部３２０をタッチパネルとしてもよい。
【００６１】
なおここでタッチパネルとは、液晶パネルのような表示部に位置検出部を組み合わせたものである。そして表示部にユーザの指等の被検出体Ｔが接触すると、位置検出部は、被検出体Ｔが表示部に接触した位置を検出する。これによりユーザは、表示部に表示される画面をタッチすることで装置の操作を行なうことができる。タッチパネルは、特に限定されるものではなく、抵抗膜方式や静電容量方式など種々の方式のものを使用することができる。
【００６２】
表示部３２０がタッチパネルの場合でも、無線通信装置Ｍがタッチパネルに接触し、これにより無線通信装置Ｍと自装置（画像形成装置１）との通信によって生じる自装置の動作とは異なる自装置の動作が生じることがある。よって表示部３２０上の無線通信装置Ｍが検出されたときに、検出結果に基づく自装置の動作を無効とする制御を行なうことで、無線通信装置Ｍと自装置との通信によって生じる自装置の動作とは異なる自装置の動作が生じにくくなる。なおタッチパネルが静電容量方式の場合は、表示部３２０上の無線通信装置Ｍは検出されにくく、抵抗膜方式の場合の方が検出されやすい。よって表示部３２０が抵抗膜方式のタッチパネルの場合に特に有効である。
【００６３】
また上述した例では、画像形成装置１は、表示部３２０と、通信部３３０と、制御装置５００とを備える検出装置として捉えることができるが、制御装置５００の機能をユーザインタフェース３００に内蔵させてもよい。この場合、ユーザインタフェース３００が検出装置となる。
【符号の説明】
【００６４】
１…画像形成装置、２０…画像形成部、１００…画像読取装置、２００…画像記録装置、３００…ユーザインタフェース、３１０…光検出部、３２０…表示部、３３０…通信部、３１０ａ…突起部、５００…制御装置、５１０…検出信号取得部、５２０…位置検出部、５３０…操作判断部、５４０…通信送受信部、５５０…動作制御部
【図１】
2018176535.tif 000003
【図２】
2018176535.tif 000004
【図３】
2018176535.tif 000005
【図４】
2018176535.tif 000006
【図５】
2018176535.tif 000007
【図６】
2018176535.tif 000008
【図７】
2018176535.tif 000009
【図８】
2018176535.tif 000010
【図９】
2018176535.tif 000011